(57)【特許請求の範囲】
【請求項１】
被検眼を検査するための眼科装置であって、
測定手段によって測定された前記被検眼の角膜形状を取得する形状取得手段と、
少なくとも１つの銘柄のコンタクトレンズの各サイズと、前記各サイズに対応するベースカーブの数値範囲と、前記ベースカーブのステップと、を入力する入力手段と、
前記数値範囲に含まれる各ベースカーブと、前記角膜形状との対応関係を示すテーブルを、前記数値範囲と、前記ベースカーブのステップと、に基づいて生成するテーブル生成手段と、
前記テーブルの示す対応関係と、前記形状取得手段によって取得された前記被検眼の角膜形状とに基づいて、少なくとも１つの銘柄のコンタクトレンズでの前記被検眼に適合するサイズおよびベースカーブを特定し、特定結果を出力する演算制御手段と、を備えることを特徴とする眼科装置。
【請求項２】
前記入力手段は、前記ベースカーブを選定するための選定方法と、前記角膜形状の参考値に対するオフセット値と、をさらに入力し、
前記テーブル生成手段は、前記選定方法と、前記オフセット値と、を用いて前記テーブルを生成することを特徴とする請求項１の眼科装置。
【請求項３】
前記選定方法は、四捨五入、切り捨て、または切り上げから選択されることを特徴とする請求項２の眼科装置。
【発明の詳細な説明】
【技術分野】
【０００１】
本開示は、被検眼の検査を行うための眼科装置に関する。
【背景技術】
【０００２】
被検眼の眼屈折力および角膜形状の測定を行う眼科装置が知られている。これらの眼科装置は、例えば、コンタクトレンズの処方を行うために用いられる。
【先行技術文献】
【特許文献】
【０００３】
【特許文献１】特開平４−３２７８２９号公報
【発明の開示】
【発明が解決しようとする課題】
【０００４】
従来の眼科装置において、被検眼の測定データに基づいて、サイズおよびベースカーブの適合するコンタクトレンズを測定結果とともに出力することによって、検者がコンタクトレンズを容易に処方できる眼科装置が提案されている。しかしながら、対応していない銘柄のコンタクトレンズを処方したい場合、眼科装置にコンタクトレンズを選定させることは困難であった。
【０００５】
本開示は、上記の問題点に鑑み、容易にコンタクトレンズを処方できる眼科装置を提供することを技術課題とする。
【課題を解決するための手段】
【０００６】
上記課題を解決するために、本発明は以下のような構成を備えることを特徴とする。
【０００７】
被検眼を検査するための眼科装置であって、測定手段によって測定された前記被検眼の角膜形状を取得する形状取得手段と、少なくとも１つの銘柄のコンタクトレンズの各サイズと、前記各サイズに対応するベースカーブの数値範囲と、前記ベースカーブのステップと、を入力する入力手段と、前記数値範囲に含まれる各ベースカーブと、前記角膜形状との対応関係を示すテーブルを、前記数値範囲と、前記ベースカーブのステップと、に基づいて生成するテーブル生成手段と、前記テーブルの示す対応関係と、前記形状取得手段によって取得された前記被検眼の角膜形状とに基づいて、少なくとも１つの銘柄のコンタクトレンズでの前記被検眼に適合するサイズおよびベースカーブを特定し、特定結果を出力する演算制御手段と、を備えることを特徴とする。
【図面の簡単な説明】
【０００８】
【図１】本開示に係る眼科装置の外観図である。
【図２】光学系および制御部の概略構成図である。
【図３】表示部に表示された前眼部画像の一例を示す図である。
【図４】表示部に表示される銘柄一覧画面の一例を示す図である。
【図５】表示部に表示される銘柄設定画面の一例を示す図である。
【図６】表示部に表示させるテーブル確認画面の一例を示す図である。
【図７】測定結果および選定結果の出力例である。
【発明を実施するための形態】
【０００９】
＜概要＞
以下、本開示に係る眼科装置の概要を図１〜図７に基づいて説明する。眼科装置（例えば、眼科装置１００）は、例えば、被検眼の角膜曲率等の角膜形状を測定する装置である。眼科装置１００は、例えば、形状取得部（例えば、制御部７０）と、入力部（例えば、操作部８、表示部７１および制御部７０の少なくともいずれか）と、テーブル生成部（例えば、制御部７０）と、演算制御部（例えば、制御部７０）を主に備える。
【００１０】
形状取得部は、例えば、測定部（例えば、パターン指標投影光学系６０および前眼部撮像光学系３０などの少なくともいずれか）によって測定された被検眼の角膜曲率半径および角膜屈折力等の少なくともいずれかを含む角膜形状を取得する。入力部は、例えば、少なくとも一つの銘柄のコンタクトレンズの各サイズに対応するベースカーブの数値範囲を入力するために用いられる。入力部は、例えば、操作部（スイッチ、ダイヤル、タッチパネルなど）からの操作信号を受け付ける。テーブル生成部は、例えば、入力部によって入力された数値範囲に含まれる各ベースカーブと、角膜形状との対応関係を示すテーブルを生成する。なお、テーブル生成部は、生成したテーブルを記憶部（例えば、メモリ７５）に記憶させてもよい。演算制御部は、例えば、テーブルの示す対応関係と、形状取得部によって取得された被検眼の角膜形状とに基づいて、少なくとも１つの銘柄のコンタクトレンズでの被検眼に適合するサイズおよびベースカーブを特定（選定）し、特定結果を出力する。なお、テーブル生成部と演算制御部は１つの制御部が兼用されてもよい。演算制御部は、例えば、表示部およびプリンタによって特定結果を出力してもよい。これによって、検者は、被検眼に適合するコンタクトレンズを容易に確認することができる。
【００１１】
なお、測定部は、角膜形状を測定すればよく、角膜に投影されたリング状指標を撮像する方式の他、シャインプルークカメラ、前眼部ＯＣＴ（Optical Coherence Tomography）であってもよい。
【００１２】
なお、入力部は、コンタクトレンズの各サイズに対応するベースカーブの数値範囲とともに、コンタクトレンズのメーカー名およびモデル名（レンズ名）の少なくともいずれかを含む銘柄情報を入力してもよい。
【００１３】
なお、演算制御部は、被検眼に適合するサイズおよびベースカーブを特定するために角膜形状を参考値として用いてもよい。この参考値は、例えば、強主経線方向の角膜曲率半径と弱主経線方向の角膜曲率半径の平均値（中間値ともいう）であってもよいし、弱主経線方向の角膜曲率半径であってもよい。例えば、演算制御部は、参考値として用いる値を、中間値および弱主経線方向の角膜曲率半径のいずれかに設定可能であってもよい。これによって、検者は、所望の参考値によって特定されたコンタクトレンズを確認することができる。上記のような参考値の設定は、例えば、入力部を介して行われてもよい。
【００１４】
なお、演算制御部は、被検眼に適合するサイズおよびベースカーブを特定するための角膜形状の参考値の端数処理を行ってもよい。この端数処理は、例えば、四捨五入、切り上げおよび切り捨てのいずれかであってもよい。演算制御部は、端数処理を四捨五入、切り上げおよび切り捨てのいずれかに設定可能であってもよい。これによって、検者は、所望の端数処理によって特定されたコンタクトレンズを確認することができる。上記のような端数処理の設定は、例えば、入力部を介して行われてもよい。
【００１５】
なお、本装置は、テーブル生成部によって生成されたテーブルを記憶するための記憶部をさらに備えてもよい。この場合、入力部は、記憶部に記憶されたテーブルを変更するための変更情報を入力してもよい。例えば、テーブルが変更された場合、演算制御部は、変更されたテーブルの示す対応関係と、被検眼の角膜形状に基づいて、被検眼に特定するコンタクトレンズのサイズおよびベースカーブを特定する。これによって、検者は、入力部への入力によってテーブルを変更し、所望のコンタクトレンズが特定されるようにしてもよい。
【００１６】
なお、演算制御部は、コンタクトレンズのメーカー名およびモデル名の少なくともいずれかを含む銘柄情報を入力するための入力欄と、演算制御部によって被検眼に適合するサイズおよびベースカーブを特定するための特定条件を入力するための入力欄と、を表示部の同一画面上に表示させてもよい。これによって、検者は、わざわざ画面を切り換えることなくコンタクトレンズの銘柄情報と特定条件を入力することができる。なお、画面に表示された入力欄への入力は、例えば、入力部を介して行われてもよい。
【００１７】
＜実施例＞
以下、本開示に係る実施例を図面に基づいて説明する。本実施例の眼科装置は、例えば、被検者の眼屈折力および角膜形状等を測定する。
【００１８】
図１は、実施例に係る眼科装置の外観構成図である。眼科装置９は、基台１と、顔支持ユニット２と、移動台３と、測定部４を主に備える。顔支持ユニット２は、例えば、基台１に取り付けられる。移動台３は、例えば、基台１上に移動可能に設けられる。測定部４は、例えば、移動台３に移動可能に設けられ、後述する光学系を収納する。測定部４は、移動台３に設けられたＸＹＺ駆動部６により、被検眼Ｅに対して左右方向（Ｘ方向）、上下方向（Ｙ方向）及び前後方向（Ｚ方向）に移動される。駆動部６は、Ｘ，Ｙ，Ｚの方向毎に設けられたスライド機構、モータ等から構成される。移動台３は、ジョイスティック５の操作により、基台１上をＸ方向及びＺ方向に移動され、回転ノブ５ａを回転操作することにより、ＸＹＺ駆動部６のＹ駆動によりＹ方向に移動される。移動台３には被検眼Ｅの観察像や測定結果等の各種情報を表示する表示部７１、各種設定を行うためのスイッチが配置された操作部８が設けられている。なお、表示部７１は、タッチパネル機能を備えてもよい。
【００１９】
図２は眼科装置９の光学系について示す概略構成図である。本光学系は、測定光光学系１０と、パターン指標投影光学系（以下、パターン光学系とも言う）６０と、照明光学系８０と、フォーカス指標投影光学系（以下、フォーカス光学系とも言う）５０と、前眼部撮像光学系３０と、固視標投影光学系４０と、に大別される。パターン光学系６０は、例えば、角膜形状測定用の指標を被検眼の角膜Ｅｃに投影する。照明光学系８０は、例えば、被検眼前眼部を可視光または赤外光にて照明する。前眼部撮像光学系３０は、例えば、前眼部正面像を撮像する。
【００２０】
パターン光学系６０は、例えば、角膜Ｅｃに対してリング状のパターン指標を投影する。パターン光学系６０は、例えば、光源６１、光源６２、光源６３を備える。光源６１は、例えば、測定光軸Ｌ１を中心に配置されたリング状の光源であり、角膜Ｅｃに拡散光（有限光）を照射して、角膜Ｅｃにリング指標Ｇを投影する（図３参照）。リング指標Ｇは、角膜形状（角膜曲率、乱視度数、乱視軸角度等）を測定するためのマイヤーリングとして用いられる。光源６２および光源６３は、例えば、測定光軸Ｌ１を中心とする同一円周上に配置された点状の光源であり、角膜Ｅｃに拡散光を照射して、角膜Ｅｃに点状指標Ｐ１及びＰ２を投影する。なお、後述のように点状指標Ｐ１，Ｐ２は、Ｚ方向のアライメントを合わせる際に利用される。なお、光源６１、光源６２および光源６３には、例えば、赤外光または可視光を発するＬＥＤが使用される。また、光源６１について、光軸Ｌ１を中心とする同一円周上に少なくとも３つ以上の点光源が配置されていればよく、間欠的なリング光源であってもよい。パターン光学系６０は、複数のリング指標を投影するプラチド指標投影光学系であってもよい。
【００２１】
照明光学系８０は、光源８１を有する。照明光学系８０は、例えば、光源６１の外側に配置され、被検眼Ｅに照明光を照射する。
【００２２】
フォーカス光学系５０は、例えば、前後方向（Ｚ方向）検出用のフォーカス指標（プルキンエ像）を投影する光学系である。フォーカス光学系５０は、例えば、光源６１の外側に配置される。フォーカス光学系５０は、例えば、赤外光を発する投影光源５１，５２（例えば、λ＝９７０ｎｍ）、コリメータレンズ５３，５４を有し、平行光（無限光）を照射することによって、角膜Ｅｃに無限遠のフォーカス指標を投影する。本実施例において、フォーカス光学系５０は、被検眼角膜に対して２点のフォーカス指標を投影する光学系であって、図３に示すように、被検眼Ｅの角膜上にはフォーカス指標Ｍ１，Ｍ２が投影される。平行光によって形成されたフォーカス指標Ｍ１，Ｍ２と、拡散光によって形成された点状指標Ｐ１，Ｐ２との組み合わせによってＺ方向のアライメント検出が行われる。これによって、被検眼Ｅに対する測定部４の位置合わせ（例えば、自動アライメント、アライメント検出、手動アライメント等）が行われる。なお、フォーカス光学系５０の光源５１，５２は、前眼部を斜め方向から赤外光にて照明する前眼部照明を兼用してもよい。
【００２３】
前眼部撮像光学系（以下、撮像光学系とも言う）３０は、対物レンズ１４、ダイクロイックミラー３３、ダイクロイックミラー６２、フィルタ３４、撮像レンズ３７、二次元撮像素子３５、を含み、被検眼の前眼部正面像を撮像するために用いられる。
【００２４】
ここで、前述のパターン光学系６０、照明光学系８０、フォーカス光学系５０による前眼部反射光は、対物レンズ１４、ビームスプリッタ３３、ダイクロイックミラー６２、フィルタ３４、及び撮像レンズ３７を介して二次元撮像素子３５に結像される。
【００２５】
すなわち、撮像光学系３０は、光源６１からの光が照射された前眼部像を撮影することにより、角膜Ｅｃ上に形成されたリング指標（角膜反射像）Ｇを含む前眼部像を撮影できる。
【００２６】
ダイクロイックミラー（ビームスプリッタ）６２は、固視標呈示光学系４０の光路と撮像光学系３０の光路を分岐するための光路分岐部材として用いられる（詳しくは、後述する）。フィルタ３４は、光源５１，光源５２による赤外光と光源８１による照明光を透過し、他の光を遮断するために用いられる。
【００２７】
固視標呈示光学系４０は、被検眼Ｅを固視させるための固視光学系である。固視標呈示光学系４０は、可視光源４１と、固視標を持つ固視標板４２と、投光レンズ４３と、ビームスプリッタ３３と、対物レンズ１４と、を含む。可視光源４１が点灯されることで、固視標板４２が有する固視標が、被検眼Ｅに呈示される。
【００２８】
測定光学系１０は、投光光学系１０ａと、受光光学系１０ｂと、を有している。投光光学系１０ａは、被検眼Ｅの瞳孔を介して被検眼Ｅの眼底Ｅｆに光束を投影するための光学系である。また、受光光学系１０ｂは、眼底Ｅｆから反射された眼底反射光を、瞳孔周辺部を介してリング状に取り出し、主に眼屈折力の測定に用いるリング状の眼底反射像を撮像するための光学系である。
【００２９】
投光光学系１０ａは、測定光学系１０の光軸Ｌ１上に配置された、測定光源１１と、リレーレンズ１２と、ホールミラー１３と、対物レンズ１４と、を含む。
【００３０】
光源１１は、被検眼Ｅの瞳孔中心部を介して眼底Ｅｆにスポット状の測定視標を投影するための光源である。光源１１は、正視眼の眼底Ｅｆと光学的に共役な位置関係となっている。本実施例では、光源１１は、ＳＬＤ（Super Luminescent Diode）であるものとして説明するが、これに代えて、例えばＬＥＤ（Light Emitting Diode）等を用いることもできる。
【００３１】
ホールミラー１３は、リレーレンズ１２を介した光源１１からの光束を通過させる開口が設けられている。ホールミラー１３は、眼Ｅの瞳孔と光学的に共役な位置関係となっている。
【００３２】
受光光学系１０ｂは、投光光学系１０ａの対物レンズ１４と、ホールミラー１３と、を投光光学系１０ａと共用している。また、受光光学系１０ｂは、リレーレンズ１６と、全反射ミラー１７と、受光絞り１８と、コリメータレンズ１９と、リングレンズ２０と、二次元撮像素子２２（以下、「撮像素子２２」と称す）と、を含む。
【００３３】
リレーレンズ１６は、ホールミラー１３の反射方向の光軸Ｌ２上に配置される。受光絞り１８は、眼底Ｅｆと光学的に共役な位置であって、全反射ミラー１７の反射方向に配置される。リングレンズ２０は、眼底反射光をリング状に整形するための光学素子である。リングレンズ２０は、リング状に形成されたレンズ部と、レンズ部以外の領域に遮光用のコーティングを施した遮光部と、を有している。また、リングレンズ２０は、被検眼Ｅの瞳孔と光学的に共役な位置関係となっている。リングレンズ２０を介したリング状の眼底反射光（即ち、二次元パターン像）は、撮像素子２２で受光される。撮像素子２２は、眼底Ｅｆと光学的に共役な位置に配置される。撮像素子２２は、受光した二次元パターン像の画像情報を、制御部７０に出力する。これによって、二次元パターン像を表示部７１に表示させたり、二次元パターン像に基づいて被検眼Ｅの屈折力を算出させたりすることが可能となる。なお、撮像素子２２としては、エリアＣＣＤ等の受光素子を用いることができる。
【００３４】
なお、測定光学系１０は上記のものに限らず、被検眼眼底Ｅｆに向けて測定光を投光する投光光学系と、測定光の眼底Ｅｆでの反射によって取得される反射光を受光素子によって受光する受光光学系と、を有する測定光学系であればよい。例えば、眼屈折力測定光学系は、シャックハルトマンセンサーを備えた構成であってもよい。もちろん、他の測定方式の装置が利用されてもよい（例えば、スリットを投影する位相差方式の装置）。
【００３５】
次に、制御系について説明する。制御部７０は、装置全体の制御及び測定結果の算出を行う。制御部７０は、光源１１、光源５１、光源６１、光源８１、撮像素子２２、撮像素子３５、固視標投影光学系４０、表示部７１、メモリ７５、等と接続されている。ここで、撮像素子３５から出力される撮像信号は、制御部７０によって画像処理され、表示部７１に表示される。
【００３６】
なお、制御部７０は、例えば撮像素子３５によって撮像されたリング指標Ｇに基づいて被検眼の角膜形状を測定する。例えば、制御部７０は、リング指標Ｇの像高に基づいて各経線方向の角膜曲率半径を求める。被検眼に乱視があるときは、制御部７０は、各経線方向の角膜曲率半径の大きさに基づいて乱視軸角度等を求めてもよい。さらに、制御部７０は、例えば撮像素子３３によって撮影されたリング像Ｒに基づいて被検眼の眼屈折力を測定する。例えば、制御部７０は、撮像素子３５によって撮像されたリング像Ｒの像高に基づいて眼屈折力等を求める。
【００３７】
なお、本実施例の制御部７０は、例えば、コンタクトレンズの選定手段として機能し、被検眼に適したコンタクトレンズを選定する。例えば、制御部７０は、上記のように測定された被検眼の角膜形状に基づいて、コンタクトレンズのベースカーブおよびサイズ等を選定する。
【００３８】
ベースカーブは、レンズ内面（接触面）の曲率半径で示され、角膜の曲率半径に適したベースカーブが選定される必要がある。例えば、レンズのベースカーブが、角膜の曲率半径よりも大きい場合（フラットの場合）、レンズが安定しないため、動きやすく、眼球から外れ易い。また、レンズのベースカーブが角膜の曲率半径よりも小さい場合（スティープの場合）、レンズの周辺部が角膜に強く接触し中心部が浮いてしまうため、正しく矯正が行われない等の影響が出る。
【００３９】
なお、コンタクトレンズには、複数のサイズ（例えばレンズの直径）が用意される。一般的にレンズのサイズは９．０ｍｍ前後であり、サイズごとに複数種類のベースカーブのレンズが作成される。また、角膜曲率半径が大きくなると角膜径も大きくなるため、ベースカーブに応じたレンズ直径が設定される場合もある。なお、コンタクトレンズのサイズとベースカーブの対応関係はメーカーおよび銘柄によって異なるため、制御部７０は銘柄ごとにコンタクトレンズの選定を行う必要がある。このため、メモリ７５には、コンタクトレンズのサイズとベースカーブの対応を示すＢ．Ｃテーブルが銘柄ごとに記憶されている。そして制御部７０は、例えば、検者によって選択された銘柄のＢ．Ｃテーブルを読み込み、角膜の強主経線方向と弱主経線方向の中間値に対応するベースカーブを選定する。そして制御部７０は、選定したベースカーブと、それに対応するサイズをメーカー名および銘柄名とともに表示部およびプリンタ等によって出力する。これによって、検者は、被検眼に適したコンタクトレンズのベースカーブとサイズを容易に取得できる。
【００４０】
＜登録画面の説明＞
なお、本実施例の眼科装置９において、制御部７０がコンタクトレンズを選定するときの選定条件を登録することができる。以下、選定条件を登録するときの画面について説明する。
【００４１】
まず、制御部７０は、図示無きメニュー画面の銘柄一覧スイッチが押されると、図４に示すように、表示部７１に銘柄一覧画面９０を表示させる。銘柄一覧画面９０には、例えば、銘柄ナンバーと、メーカー名と、モデル名の一覧表（以下、銘柄表ともいう）９１が表示される。銘柄一覧画面の左部には、銘柄を表示するか否かを選択するチェックボックス９２が表示させる。なお、銘柄一覧画面９０の下部には、ページ切換ボタン９３、クリアボタン９４、プリントボタン９５、戻るボタン９６、銘柄設定ボタン９７等が表示される。ページ切換ボタン９３は、例えば、銘柄表９１を次のページに送るためのボタンである。クリアボタン９４は、例えば、チェックボックス９２のチェックを外すボタンである。プリントボタン９５は、例えば、銘柄表９１を印刷するボタンである。戻るボタン９６は、例えば、前の画面に戻るボタンである。
【００４２】
銘柄設定ボタン９７が押されると、制御部７０は、表示部７１の表示を銘柄設定画面１００に切り換える。銘柄設定画面１００は、新規銘柄の登録、および登録済み銘柄の設定変更等を行う画面である。銘柄設定画面１００の上部には、例えば、ナンバー表示欄１０１、ナンバー切換ボタン１０２、削除ボタン１０３、レンズ名入力欄１０４、メーカー名入力欄１０５、Ｂ．Ｃステップ入力欄１０６、参考値選択欄１０７、選定方法選択欄１０８等が表示される。
【００４３】
ナンバー表示欄１０１は、銘柄リストのナンバーが表示される。ナンバー切換ボタン１０２は、ナンバー表示欄１０１のナンバーを切り換えるボタンである。新しい銘柄を登録する場合、検者はナンバー切換ボタン１０２を操作して未登録のナンバーを選択する。なお、登録済みのナンバーが選択された場合、登録済みの銘柄の設定を変更できるようにしてもよい。削除ボタン１０３は、登録された銘柄の情報を削除するボタンである。レンズ名入力欄１０４は、レンズ名を入力する欄である。メーカー名入力欄１０５は、レンズのメーカー名を入力する欄である。Ｂ．Ｃステップ入力欄１０６は、レンズのベースカーブのステップを入力する欄である。参考値選択欄１０７は、レンズのベースカーブを選択するときの参考値に用いる値を選択する欄である。図５の例では、例えば、中間値と弱主経線の曲率半径の測定値とで選択できるようになっている。ここで、中間値とは、例えば、強主経線方向の角膜曲率の測定値と弱主経線方向の角膜曲率の測定値の平均値である。選定方法選択欄１０８は、参考値に基づいてベースカーブを選定するときの選定方法を選択する欄である。図５の例では、例えば、四捨五入、切り捨て、切り上げが選択できるようになっている。例えば、Ｂ．Ｃステップが０．１ｍｍの場合、四捨五入が選択されると、制御部７０は、参考値の小数点第２位の値を四捨五入した値に基づいて、ベースカーブを選定する。切り捨てまたは切り上げが選択された場合も同様に、制御部７０は参考値の小数点第２位を切り捨て値，切り上げた値に基づいてベースカーブを選定する。なお、選定方法選択欄１０８には、オフセット値入力欄１０９が表示される。オフセット値入力欄１０９は、例えば、参考値に対するオフセット値を入力する欄である。オフセット値が入力されると、制御部７０は、参考値に対してオフセット値を加えた値を用いてベースカーブを選定する。
【００４４】
なお、各入力欄が選択されると、例えば、制御部７０は、図示無きキーボード画面およびテンキー画面等を表示させ、検者の入力を受け付けてもよい。もちろん、スイッチ部８の入力によって検者の入力を受け付けてもよい。
【００４５】
銘柄設定画面１００の中部には、例えば、対応関係入力欄１１０が表示される。対応関係入力欄１１０は、例えば、サイズ入力欄１１１と、Ｂ．Ｃ最小値入力欄１１２と、Ｂ．Ｃ最大値入力欄１１３に分けられる。サイズ入力欄１１１と、Ｂ．Ｃ最小値入力欄１１２、Ｂ．Ｃ最大値入力欄１１３の３つが一組であり、この組が複数表示される。サイズ入力欄１１１は、レンズのサイズを入力する欄である。Ｂ．Ｃ最小値入力欄１１２は、Ｂ．Ｃの最小値を入力する欄である。Ｂ．Ｃ最大値入力欄１１３は、Ｂ．Ｃの最大値を入力する欄である。制御部７０は、測定によって得られた参考値がＢ．Ｃ最小値とＢ．Ｃ最大値に入力されたベースカーブの範囲内にあるレンズのサイズを選定する。
【００４６】
銘柄設定画面１００の下部には、例えば、テーブル表示ボタン１１４、戻るボタン１１５等が表示される。テーブル表示ボタン１１４が押されると、制御部７０は、表示部７１の表示をテーブル表示画面１２０に切り換える（図６参照）。
【００４７】
テーブル表示画面１２０には、例えば、検者が登録した銘柄のＢ．Ｃテーブルが表示される。テーブル表示画面１２０には、例えば、レンズ名・サイズ表示欄１２１と、Ｂ．Ｃテーブル１２２と、ページ切換ボタン１２３と、戻るボタン１２４が表示される。レンズ名・サイズ表示欄１２１には、例えば、レンズ名とサイズが表示される。Ｂ．Ｃテーブル１２２は、測定された角膜曲率半径から求められた参考値の範囲と、それに対応するＢ．Ｃの値が表示される。なお、図６は、選定方法が四捨五入で、オフセットが０．１ｍｍ、Ｂ．Ｃステップが０．１ｍｍの場合のＢ．Ｃテーブルの例である。ページ切換ボタン１２３は、Ｂ．Ｃテーブルのページを切り換えるためのボタンである。戻るボタン１２４は、前の画面に戻るためのボタンである。制御部７０は、Ｂ．Ｃテーブル１２２を表示させることによって、登録されたＢ．Ｃテーブル１２２を確認させることができる。
【００４８】
＜登録方法＞
以下、前述の設定画面を用いてＢ．Ｃテーブル１２２を登録方法について説明する。まず、検者は、銘柄一覧画面９０の銘柄設定ボタン９７を押す。銘柄設定ボタン９７が押されると、制御部７０は、銘柄一覧画面１００を表示する。検者は、ナンバー切換ボタン１０２を操作して、登録したいナンバーをナンバー表示欄１０１に表示させる。制御部７０は、ナンバー切換ボタン１０２の操作に基づいてナンバー表示欄１０１の表示を切り換える。なお、銘柄設定画面への入力は、スイッチ部８による入力であってもよいし、表示部７１がタッチパネルである場合は、表示部７１へのタッチ入力であってもよい。
【００４９】
次にレンズ名とメーカー名の入力について説明する。検者は、レンズ名入力欄１０４およびメーカー名入力欄１０５にそれぞれレンズ名とメーカー名を入力する。例えば、制御部７０は、レンズ名入力欄１０４およびメーカー名入力欄１０５が選択されると、図示無きキーボード画面を表示させてもよい。この場合、検者は、キーボード画面への入力によってレンズ名とメーカー名を入力する。
【００５０】
Ｂ．Ｃステップの入力について説明する。検者はＢ．Ｃステップ入力欄１０６にＢ．Ｃステップを入力する。例えば、検者がＢ．Ｃステップ入力欄１０６をタッチすると、制御部７０は、図示無きテンキー画面を表示させてもよい。この場合、検者は、テンキーの入力によってＢ．Ｃステップの数値を入力してもよい。例えば、レンズのベースカーブが０．１ｍｍごとの規格であった場合、検者は、Ｂ．Ｃステップ入力欄１０６に０．１と入力する。制御部７０は、Ｂ．Ｃステップ入力欄１０６に入力されたＢ．Ｃステップに基づいて、Ｂ．Ｃテーブル１２２を作成する。
【００５１】
参考値の選択について説明する。検者は、例えば参考値選択欄１０７の中間値または弱主経線のいずれかを選択する。例えば、検者は、選択した項目をタッチすることによって参考値を選択してもよい。制御部７０は、検者に選択された項目のチェックボックスにチェックを入れるようにしてもよい。図５の例では、中間値と弱主経線の内、中間値が選択されている。制御部７０は、検者によって選択された参考値に基づいて、ベースカーブを選定する。
【００５２】
選定方法の選択について説明する。検者は、例えば、選定方法選択欄１０８の四捨五入または切り捨て、切り上げの内のいずれかを選択する。例えば、検者は選択した項目をタッチすることによって選定方法を選択してもよい。制御部７０は、選択された選定方法でベースカーブを選定する。
【００５３】
オフセット値の入力について説明する。検者は、例えばＢ．Ｃステップの入力と同様に、図示無きテンキー画面またはスイッチ部８等によってオフセット値を入力する。制御部７０は、オフセット値に基づいて、Ｂ．Ｃテーブル１２２を作成する。
【００５４】
Ｂ．Ｃテーブルの入力について説明する。例えば、図示無きテンキー画面またはスイッチ部８等によって、対応関係入力欄１１０にサイズおよびＢ．Ｃの最小値、最大値を入力する。制御部７０は、対応関係入力欄１１０に入力された数値に基づいて、Ｂ．Ｃテーブルを作成する。
【００５５】
制御部７０は、銘柄設定画面１００の入力に基づいてＢ．Ｃテーブルを作成する。例えば、図５の９．０ｍｍのサイズの場合、Ｂ．Ｃステップが０．１ｍｍ、Ｂ．Ｃの最小値が７．３０ｍｍ、Ｂ．Ｃの最大値が７．５０ｍｍであるため、ベースカーブが７．３０ｍｍ、７．４０ｍｍ、７．５０ｍｍのテーブルが作成される。また、図５の例では参考値が中間値、オフセットが０．１ｍｍ、選定方法が四捨五入である。したがって測定値の中間値が７．１５〜７．２４ｍｍの場合、四捨五入されてオフセット値０．１ｍｍが加えられるため、ベースカーブが７．３０ｍｍに対応するようにＢ．Ｃテーブル１２２が作成される（図７参照）。同様に、中間値が７．２５〜７．３４ｍｍの場合はベースカーブが７．４０ｍｍ、中間値が７．３５〜７．４４ｍｍの場合はベースカーブが７．５０に対応するようにＢ．Ｃテーブル１２２が作成される。
【００５６】
以上のように、制御部７０は、コンタクトレンズを選定するための選定条件をメモリ７５に登録することができる。したがって、検者は、新しい銘柄のコンタクトレンズを処方したい場合、制御部７０にベースカーブとサイズの対応関係を入力することによって、わざわざフィッティングマニュアル等を確認せずに、被検者に適合するコンタクトレンズを選定することができる。また、数値の処理方法およびオフセット量などの選定条件を検者が自由に変更することができるため、コンタクトレンズの選定に検者の経験を反映させることができる。
【００５７】
＜測定動作＞
以上のような構成を備える装置における角膜形状および眼屈折力の測定動作を説明する。検者は、被検者の顔を顔支持ユニット２に支持させ、固視標光学系４０によって投影された固視標を見るように指示する。
【００５８】
被検者の準備が整うと、制御部７０はオートアライメントを開始する。アライメントの際、制御部７０は、例えば、光源５１，５２および光源６１を点灯させる。撮像光学系３０は、被検眼Ｅの前眼部を撮像する。前眼部画像には、被検眼の前眼部に形成されたフォーカス指標Ｍ１，Ｍ２とリング指標Ｇと、点状指標Ｐ１，Ｐ２が撮像される。制御部７０は、例えば、フォーカス指標Ｍ１，Ｍ２と点状指標Ｐ１，Ｐ２の位置関係に基づいて被検眼Ｅに対するアライメント状態を検出し、ＸＹＺ駆動部６を制御することによってアライメントを合わせる。
【００５９】
アライメントが完了すると、制御部７０は、リング指標Ｇの像高に基づいて、各経線方向の角膜曲率半径を求める。被検眼に乱視があるときは、制御武７０は、各経線方向の角膜曲率半径の大きさに基づいて乱視軸角度等を求めてもよい。さらに、制御部７０は、撮像素子２２によって撮像されたリング像の像高に基づいて眼屈折力等を求めてもよい。
【００６０】
そして、制御部７０は、メモリ７５に保存されたＢ．Ｃテーブルから該当するベースカーブを読み込み、対応するサイズ、メーカー名、銘柄名等とともに表示および印刷等によって出力を行う。例えば、図７に示すレシートのようにレンズの銘柄ごとにサイズとベースカーブが出力される。検者は、眼科装置９の出力結果を確認することによって、被検者に適合したコンタクトレンズのサイズとベースカーブを銘柄ごとに確認できる。
【００６１】
なお、以上の説明において、制御部７０は、新しい銘柄に対する選定条件を登録する場合について説明したが、これに限らない。例えば、デフォルトで設定されている銘柄の設定を変更してもよい。この場合、例えば検者は、銘柄設定画面１００のナンバー切換ボタン１０２を操作してデフォルトの銘柄のナンバーを選択し、前述のように各設定を変更してもよい。
【００６２】
なお、以上の説明において、銘柄設定画面１００への入力によってＢ．Ｃテーブルが作成されるものとしたが、これに限らない。例えば、テーブル表示画面１２０に表示されたレンズ名・サイズ表示欄１２１と、Ｂ．Ｃテーブル１２２等に直接入力することによって、各銘柄の各サイズに関するＢ．Ｃテーブル１２２を作成してもよい。
【符号の説明】
【００６３】
１  基台
９  眼科装置
１０  測定光学系
２０  パターン指標投影光学系
３０  前眼部撮像光学系
４０  固視標投影光学系
５０  フォーカス指標投影光学系
７０  制御部
７１  表示部
９０  銘柄一覧画面
１００  銘柄設定画面
１２０  テーブル表示画面
【図１】
0006478096.tif 000002
【図２】
0006478096.tif 000003
【図３】
0006478096.tif 000004
【図４】
0006478096.tif 000005
【図５】
0006478096.tif 000006
【図６】
0006478096.tif 000007
【図７】
0006478096.tif 000008